(57)【要約】【課題】ビジネスフォンの主装置等の電子機器を壁の高い場所であっても簡単に取り付け及び取り外しができる電子機器の壁掛構造を提供する。【解決手段】電子機器の壁掛構造１は、電子機器Ｍを上側から保持する第１ブラケット１０と、電子機器を下側から保持する第２ブラケット２０と、を備え、第１ブラケット１０が、第１背面部１１と、第１背面部１１の上端から前方に延在する第１上面部１２と、第１上面部１２の前端から下方に延在する正面部１３と、第１上面部１２の中間領域から下方に延在する中間部１４とを有し、第２ブラケット２０が、第２背面部２１と、第２背面部２１の上端から前方に延在する下面部２２とを有し、正面部１３と中間部１４が電子機器Ｍの上部の正面と背面を保持し、下面部２２が電子機器Ｍの底面に取り付けられる。【選択図】図１
2019091802.tif 000002
【特許請求の範囲】
【請求項１】
電子機器の壁掛構造であって、
前記電子機器を上側から保持する第１ブラケットと、
前記電子機器を下側から保持する第２ブラケットと、を備え、
前記第１ブラケットが、第１背面部と、前記第１背面部の上端から前方に延在する第１
上面部と、前記第１上面部の前端から下方に延在する正面部と、前記第１上面部の中間領
域から下方に延在する中間部とを有し、
前記第２ブラケットが、第２背面部と、前記第２背面部の上端から前方に延在する下面
部とを有し、
前記正面部と前記中間部が前記電子機器の上部の正面と背面を保持し、前記下面部が前
記電子機器の底面に取り付けられることを特徴とする電子機器の壁掛構造。
【請求項２】
前記第１背面部が壁に取り付けられ、前記中間部が前記壁から一定の間隙を設けて形成
されることを特徴とする請求項１に記載の電子機器の壁掛構造。
【請求項３】
前記電子機器が複数であるときに各電子機器の間を仕切る第３ブラケットをさらに備え
、
前記第３ブラケットが、前記第１ブラケットの前記第１上面部に取り付けられる第３上
面部と、前記第３上面部の中間領域から下方に延在する仕切部とを有することを特徴とす
る請求項１又は２に記載の電子機器の壁掛構造。
【請求項４】
前記第３ブラケットの前記第３上面部が、前記第１ブラケットの前記第１上面部に対し
て前後方向に変位可能に取り付けられることを特徴とする請求項３に記載の電子機器の壁
掛構造。
【発明の詳細な説明】
【技術分野】
【０００１】
本発明は、電話機の主装置等の電子機器を壁に取り付けるための壁掛構造に関する。
【背景技術】
【０００２】
従来、オフィス等に設置されるビジネスフォンの主装置は、壁に取り付けることがある
。例えば、特許文献１のように主装置の背面にだるま状の穴を選択的に形成し、このだる
ま部分に壁に取り付けられる係合部材に引っ掛けて固定したり、特許文献２のようにブラ
ケット（同文献では、「アタッチメントホルダー」と呼称）を形成してブラケットを壁に
取り付けたりしていた。
【０００３】
しかしながら、これらの特許文献については、いずれも簡単な形状ではあるものの、主
装置を壁に取り付けることに傾注した構成となっている。すなわち、電話機の増設をした
り保守をしたりするためには主装置を壁から取り外し易い構造であることも求められるが
、いずれの特許文献も取り外すためには上方に持ち上げて取り外す構造となっているため
、主装置が壁の高い場所に取り付けられているような場合、工事者の負担となるという問
題があった。また、主装置のような電子機器に接続されているケーブルの処理については
何も考慮されていないという問題があった。
【先行技術文献】
【特許文献】
【０００４】
【特許文献１】特開平９−４２２３６号公報
【特許文献２】特許第６００９３３１号公報
【発明の概要】
【発明が解決しようとする課題】
【０００５】
本発明は、かかる課題に鑑みなされたものであり、ビジネスフォンの主装置等の電子機
器を壁の高い場所であっても簡単に取り付け及び取り外しができる電子機器の壁掛構造を
提供することを目的とする。
【課題を解決するための手段】
【０００６】
上記した課題を解決するために、本発明は、以下の態様によって把握される。
（１）本発明に係る態様は、電子機器の壁掛構造であって、前記電子機器を上側から保持
する第１ブラケットと、前記電子機器を下側から保持する第２ブラケットと、を備え、前
記第１ブラケットが、第１背面部と、前記第１背面部の上端から前方に延在する第１上面
部と、前記第１上面部の前端から下方に延在する正面部と、前記第１上面部の中間領域か
ら下方に延在する中間部とを有し、前記第２ブラケットが、第２背面部と、前記第２背面
部の上端から前方に延在する下面部とを有し、前記正面部と前記中間部が前記電子機器の
上部の正面と背面を保持し、前記下面部が前記電子機器の底面に取り付けられることを特
徴とする。
【０００７】
（２）上記（１）に記載の構成において、前記第１背面部が壁に取り付けられ、前記中間
部が前記壁から一定の間隙を設けて形成される。
【０００８】
（３）上記（１）又は（２）に記載の構成において、前記電子機器が複数であるときに各
電子機器の間を仕切る第３ブラケットをさらに備え、前記第３ブラケットが、前記第１ブ
ラケットの前記第１上面部に取り付けられる第３上面部と、前記第３上面部の中間領域か
ら下方に延在する仕切部とを有する。
【０００９】
（４）上記（３）に記載の構成において、前記第３ブラケットの前記第３上面部が、前記
第１ブラケットの前記第１上面部に対して前後方向に変位可能に取り付けられる。
【発明の効果】
【００１０】
本発明によれば、ビジネスフォンの主装置等の電子機器を壁の高い場所であっても簡単
に取り付け及び取り外しができる電子機器の壁掛構造を提供することができる。
【図面の簡単な説明】
【００１１】
【図１】本発明の第１実施形態に係る壁掛構造を構成する第１ブラケット及び第２ブラケットを模式的に示す斜視図である。
【図２】本発明の第１実施形態に係る壁掛構造の取付状況を示す側面図である。
【図３】図２の平面図である。
【図４】図２の正面図である。
【図５】本発明の第２実施形態に係る壁掛構造を構成する第１ブラケット、第２ブラケット及び第３ブラケットを模式的に示す斜視図である。
【図６】本発明の第２実施形態に係る壁掛構造の取付状況を示す側面図である。
【図７】図６の平面図である。
【図８】図６の正面図である。
【発明を実施するための形態】
【００１２】
以下、添付図面を参照して、本発明の実施形態について詳細に説明するが、各図におい
て、同一符号は同一又は対応する部分を示す。また、本発明は、以下の説明からも明らか
なようにこれらの実施形態に限定されるものではなく、発明の要旨の範囲内において当業
者であれば種々の変形が可能である。
【００１３】
（第１実施形態）
図１に示すように、第１実施形態に係る電子機器Ｍの壁掛構造１は、電子機器Ｍを上側
から保持する第１ブラケット１０と、電子機器Ｍを下側から保持する第２ブラケット２０
と、を備えている。電子機器Ｍは、例えばビジネスフォンの主装置などであるが、それに
限られるものではない。
【００１４】
なお、以下の説明において、図１に示すように、第１ブラケット１０の正面部１３の側
を壁掛構造１の前方（前面、正面）、その反対側を後方（後面、背面）とし、壁掛構造１
を前方から見たときの上下左右方向をそのまま上下左右方向とした直交座標系に基づいて
説明するものとする。これらの方向は、各要素の相対的な位置関係を規定する意味で理解
されるものである。
【００１５】
（第１ブラケット１０）
第１ブラケット１０は、第１背面部１１と、第１背面部１１の上端から前方に延在する
第１上面部１２と、第１上面部１２の前端から下方に延在する正面部１３と、第１上面部
１２の中間領域から下方に延在する中間部１４とを有している。詳しくは図２〜図４を参
照して後述するが、第１背面部１１は、壁Ｗに取り付けられ、第１上面部１２は、壁Ｗと
は反対側に延在して電子機器Ｍの天面を覆い、正面部１３と中間部１４は、その間に電子
機器Ｍの上部の正面と背面を保持する。
【００１６】
第１ブラケット１０は、このように、側面視において、第１背面部１１、第１上面部１
２、正面部１３及び中間部１４によって、下方に向かって開放した異形のＥ字状となって
いる。第１ブラケット１０をＥ字状に形成するにあたっては、例えば、第１背面部１１、
第１上面部１２、正面部１３及び中間部１４を各別の部材で構成して互いに接合してもよ
いが、製造工程を簡略化する観点からは、１枚の板金を屈曲させて４面を構成することが
好適である。図１では、第１背面部１１と正面部１３が１枚の板金の両端を下方に屈曲さ
せて形成されている。また、中間部１４は、第１上面部１２の一部を放熱用にくり抜いて
設けられる開口１２ａのくり抜き片を背面側に屈曲させて形成されている。
【００１７】
（第２ブラケット２０）
第２ブラケット２０は、第２背面部２１と、第２背面部２１の上端から前方に延在する
下面部２２とを有している。詳しくは図２〜図４を参照して後述するが、第２背面部２１
は、壁Ｗに取り付けられ、下面部２２は、壁Ｗとは反対側に延在して電子機器Ｍの底面に
取り付けられる。
【００１８】
第２ブラケット２０は、このように、側面視において、第２背面部２１及び下面部２２
によって、下方に向かって開放したＬ字状となっている。第２ブラケット２０をＬ字状に
形成するにあたっては、例えば、第２背面部２１及び下面部２２を各別の部材で構成して
互いに接合してもよいが、製造工程を簡略化する観点からは、１枚の板金を屈曲させて２
面を構成することが好適である。図１では、第２背面部２１が１枚の板金の一方端を下方
に屈曲させて形成されている。下面部２２には、放熱用の開口２２ａが設けられている。
【００１９】
（壁掛構造１）
次に、図２及び図３を参照して、第１ブラケット１０と第２ブラケット２０による壁掛
構造１について説明する。
【００２０】
図２に示すように、第１ブラケット１０の第１背面部１１は、壁ＷにネジＢによってネ
ジ止めされる。なお、ここでは、第１背面部１１は、壁Ｗから見て電子機器Ｍと同じ側に
位置している態様を示しているが、これに限らず、壁Ｗが上端を有するパーテーションの
ような場合には、第１背面部１１は、壁Ｗの電子機器Ｍと反対側の面に取り付けるように
してもよい。
【００２１】
中間部１４は、壁Ｗから距離Ｌ１（一定の間隙）だけ離間するように設定されている。
そして、正面部１３は、保持される電子機器Ｍの幅に対応するように、中間部１４から距
離Ｌ２だけ離間するように設定されている。
【００２２】
電子機器Ｍの天面は、第１上面部１２にネジ止めされることはなく、第１上面部１２は
、電子機器Ｍの天面を覆った状態となっている。これは、壁掛構造１が壁Ｗの高い位置に
取り付けられるような場合、電子機器Ｍの天面の上方からネジ止めすることが困難である
ことによる。壁掛構造１では、電子機器Ｍの正面と背面が、前述したとおり、正面部１３
と中間部１４によって保持される。
【００２３】
第２ブラケット２０の第２背面部２１は、壁ＷにネジＢによってネジ止めされる。下面
部２２は、第１ブラケット１０の第１上面部１２に対応して、距離Ｌ１と距離Ｌ２を合わ
せた距離をもって設定される。
【００２４】
電子機器Ｍの底面は、下面部２２にネジＢによってネジ止めされる。これは、前述した
ように壁掛構造１が壁Ｗの高い位置に取り付けられるような場合、電子機器Ｍの底面の下
方からネジ止めすることが容易であることによる。
【００２５】
電子機器Ｍから延出するケーブルＣは、図２及び図３に示すように、壁Ｗと中間部１４
の間の距離Ｌ１（一定の間隙）を利用して、下面部２２上に整理して配置される。これに
より、ケーブルＣは、乱雑になることがなく、また、電子機器Ｍの背面と壁Ｗの間に隠さ
れるため、壁掛構造１を前方や下方から見た際に人の目に触れることも少なく、オフィス
の良好な景観に寄与する。なお、電子機器ＭのケーブルＣの接続側には、接続部をカバー
するケーブルカバーＣＣが設けられてもよい。
【００２６】
（壁掛構造１の使用例）
壁掛構造１の使用例について、図４を用いて説明する。電子機器Ｍを壁掛構造１に取り
付ける際には、次の手順による。まず、第１ブラケット１０と第２ブラケット２０を電子
機器Ｍの高さに多少の余裕を見込んだ距離だけ離間させて壁Ｗに取り付ける。次に、電子
機器Ｍの天面の側を第１ブラケット１０の中間部１４と正面部１３の間に位置させつつ、
電子機器Ｍの底面を第２ブラケット２０の下面部２２に載置する。そして、中間部１４と
正面部１３をレールとして案内させつつ、電子機器Ｍを下面部２２上で左方向Ｌ又は右方
向Ｒに摺動させる。そして、所定の位置にきたときに、電子機器Ｍの底面を下面部２２に
ドライバＤを用いてネジＢでネジ止めする。
【００２７】
電子機器Ｍを壁掛構造１から取り外す際には、次の手順による。まず、電子機器Ｍの底
面と第２ブラケット２０の下面部２２とを取り付けてあるネジＢをドライバＤを用いて外
す。次に、電子機器Ｍの天面の側を第１ブラケット１０の中間部１４と正面部１３をレー
ルとして案内させつつ、電子機器Ｍの底面を第２ブラケット２０の下面部２２上で左方向
Ｌ又は右方向Ｒに摺動させる。そして、電子機器Ｍを第１ブラケット１０と第２ブラケッ
ト２０の間から抜き取る。
【００２８】
このように、電子機器Ｍは、第１ブラケット１０及び第２ブラケット２０を備える壁掛
構造１を壁Ｗに取り付けたままの状態で、左方向Ｌ又は右方向Ｒに摺動して取り付け／取
り外しが可能となる。
【００２９】
（第２実施形態）
次に、第２実施形態に係る電子機器Ｍの壁掛構造１Ａについて説明する。壁掛構造１Ａ
は、電子機器Ｍが複数の電子機器Ｍａ，Ｍｂであるときに、電子機器Ｍａ，Ｍｂが壁Ｗか
ら見て重層的に配置されるときに対応するものであり、図５に示すように、電子機器Ｍを
上側から保持する第１ブラケット１０と、電子機器Ｍを下側から保持する第２ブラケット
２０に加えて、各電子機器Ｍの間を仕切る第３ブラケット３０をさらに備えるものである
。第１ブラケット１０及び第２ブラケット２０は第１実施形態と同様であるので、その説
明は割愛する。
【００３０】
（第３ブラケット３０）
第３ブラケット３０は、第１ブラケット１０の第１上面部１２に取り付けられる第３上
面部３２と、第３上面部３２の中間領域から下方に延在する仕切部３３とを有している。
第３ブラケット３０は、仕切部３３が第１ブラケット１０の第１上面部１２の開口１２ａ
に挿入されるように、第３上面部３２を第１ブラケット１０の第１上面部１２に載置させ
る。
【００３１】
第３ブラケット３０は、このように、側面視において、第３上面部３２及び仕切部３３
によって、下方に向かって開放した異形の卜（ぼく）字状となっている。第３ブラケット
３０を卜字状に形成するにあたっては、例えば、第３上面部３２及び仕切部３３を各別の
部材で構成して互いに接合してもよいが、製造工程を簡略化する観点からは、１枚の板金
を屈曲させて２面を構成することが好適である。図５では、仕切部３３は、第３上面部３
２の一部を放熱用にくり抜いて設けられる開口３２ａのくり抜き片を正面側に屈曲させて
形成されている。
【００３２】
（壁掛構造１Ａ）
次に、図６及び図７を参照して、第１ブラケット１０、第２ブラケット２０及び第３ブ
ラケット３０による壁掛構造１Ａについて説明する。ここでは、電子機器Ｍが２台の電子
機器Ｍａ，Ｍｂである場合について説明するが、壁掛構造１Ａは、電子機器Ｍが３台以上
の場合にも拡張できるものである。
【００３３】
図６に示すように、第１ブラケット１０の第１背面部１１は、壁ＷにネジＢによってネ
ジ止めされる。なお、第１背面部１１は、第１実施形態と同様に、壁Ｗの電子機器Ｍａ，
Ｍｂと反対側の面に取り付けるようにしてもよい。
【００３４】
第３ブラケット３０の第３上面部３２は、第１ブラケット１０の第１上面部１２にネジ
Ｂによってネジ止めされる。ここで、第１上面部１２にネジＢを受容するネジ孔（不図示
）を前後方向に延在する長孔を形成しておくことにより、第３ブラケット３０を第１ブラ
ケット１０に対し変位可能に取り付けられるようにしてもよい。そうすると、電子機器Ｍ
ａ，Ｍｂのそれぞれの厚みに応じて、第３ブラケット３０の仕切部３３の位置を変位させ
ることができる。
【００３５】
第１ブラケット１０の中間部１４は、壁Ｗから距離Ｌ１（一定の間隙）だけ離間するよ
うに設定されている。そして、第３ブラケット３０の仕切部３３は、保持される電子機器
Ｍａの幅に対応するように、中間部１４から距離Ｌ２ａだけ離間するように設定されてい
る。また、第１ブラケット１０の正面部１３は、保持される電子機器Ｍｂの幅に対応する
ように仕切部３３から距離Ｌ２ｂだけ離間するように設定されている。
【００３６】
電子機器Ｍａ，Ｍｂの天面は、第１ブラケット１０の第１上面部１２及び第３ブラケッ
ト３０の第３上面部３２にネジ止めされることはなく、第１上面部１２は、電子機器Ｍａ
，Ｍｂの天面を、第３上面部３２は、第１上面部１２を介して電子機器Ｍａの天面を覆っ
た状態となっている。これは、壁掛構造１Ａが壁Ｗの高い位置に取り付けられるような場
合、電子機器Ｍａ，Ｍｂの天面の上方からネジ止めすることが困難であることによる。壁
掛構造１Ａでは、電子機器Ｍａの正面と背面が仕切部３３と中間部１４によって、電子機
器Ｍｂの正面と背面が正面部１３と仕切部３３によって保持される。
【００３７】
第２ブラケット２０の第２背面部２１は、壁ＷにネジＢによってネジ止めされる。下面
部２２は、第１ブラケット１０の第１上面部１２に対応して、距離Ｌ１と距離Ｌ２ａ及び
距離Ｌ２ｂを合わせた距離をもって設定される。
【００３８】
電子機器Ｍａ，Ｍｂの底面は、下面部２２にネジＢによって各別にネジ止めされる。こ
れは、前述したように、壁掛構造１Ａが壁Ｗの高い位置に取り付けられるような場合、電
子機器Ｍａ，Ｍｂの底面の下方からネジ止めすることが容易であることによる。
【００３９】
電子機器Ｍａ，Ｍｂから延出するケーブルＣは、第１実施形態に係る壁掛構造１と同様
に、図６及び図７に示すとおり、壁Ｗと中間部１４の間の距離Ｌ１（一定の間隙）を利用
して、下面部２２上に整理して配置される。また、電子機器Ｍａ，ＭｂのケーブルＣの接
続側で接続部をカバーするケーブルカバーＣＣａ，ＣＣｂを設けてよい点も、第１実施形
態に係る壁掛構造１と同様である。
【００４０】
（壁掛構造１Ａの使用例）
壁掛構造１Ａの使用例について、図８を用いて説明する（図６及び図７も併せて参照）
。電子機器Ｍａ，Ｍｂを壁掛構造１Ａに取り付ける際には、次の手順による。まず、第１
ブラケット１０と第２ブラケット２０を電子機器Ｍａ，Ｍｂの高さに多少の余裕を見込ん
だ距離だけ離間させて壁Ｗに取り付ける。そして、第３ブラケット３０を第１ブラケット
１０上に取り付ける。次に、電子機器Ｍａの天面の側を第１ブラケット１０の中間部１４
と第３ブラケット３０の仕切部３３の間に、電子機器Ｍｂの天面の側を第３ブラケット３
０の仕切部３３と第１ブラケット１０の正面部１３の間にそれぞれ位置させつつ、電子機
器Ｍａ，Ｍｂの底面を第２ブラケット２０の下面部２２に載置する。そして、中間部１４
と仕切部３３と正面部１３をレールとして案内させつつ、電子機器Ｍａ，Ｍｂを下面部２
２上で左方向Ｌ又は右方向Ｒに摺動させる。そして、所定の位置にきたときに、電子機器
Ｍａ，Ｍｂの底面を下面部２２にドライバＤを用いてネジＢでネジ止めする。電子機器Ｍ
ａ，Ｍｂの取り付けは、同時に行ってもよいし、各別に行ってもよい。
【００４１】
電子機器Ｍａ，Ｍｂを壁掛構造１Ａから取り外す際には、次の手順による。まず、電子
機器Ｍａ，Ｍｂの底面と第２ブラケット２０の下面部２２とを取り付けてあるネジＢをド
ライバＤを用いて外す。次に、電子機器Ｍａ，Ｍｂの天面の側を第１ブラケット１０の中
間部１４と正面部１３及び第３ブラケット３０の仕切部３３をレールとして案内させつつ
、電子機器Ｍａ，Ｍｂの底面を第２ブラケット２０の下面部２２上で左方向Ｌ又は右方向
Ｒに摺動させる。そして、電子機器Ｍａ，Ｍｂを第１ブラケット１０と第２ブラケット２
０の間から抜き取る。電子機器Ｍａ，Ｍｂの取り外しは、同時に行ってもよいし、各別に
行ってもよい。
【００４２】
このように、壁Ｗから見て重層的に配置された電子機器Ｍａ，Ｍｂは、第１ブラケット
１０、第２ブラケット２０及び第３ブラケット３０を備える壁掛構造１Ａを壁Ｗに取り付
けたままの状態で、各別に、左方向Ｌ又は右方向Ｒに摺動して取り付け／取り外しが可能
となる。
【００４３】
（実施形態の効果）
以上のような構成としたことから、壁掛構造１は、以下のような効果を奏する。
（１）電子機器Ｍの底面が第２ブラケット２０の下面部２２に固定され、電子機器Ｍの天
面が第１ブラケット１０に固定されずに正面及び背面を保持されることにより、電子機器
Ｍを確実に壁掛構造１に固定することができる。と同時に、壁掛構造１が壁Ｗの高い位置
に取り付けられるような場合でも、電子機器Ｍの底面と下面部２２のネジＢを外すことに
より、壁掛構造１を壁Ｗに取り付けたまま、保守等のために電子機器Ｍを左右方向（横方
向）に摺動させることで取り外すことができる。
（２）電子機器Ｍから延出するケーブルＣを壁掛構造１と第１ブラケット１０の中間部１
４の間の距離Ｌ１（一定の間隙）を利用して電子機器Ｍの背面側に這わすことができるた
め、配線されたケーブルＣを整理して配設することができるとともに、正面視において見
栄えを良くすることができる。
【００４４】
壁掛構造１Ａは、これらの効果に加え、さらに以下のような効果を奏する。
（３）第３ブラケット３０の仕切部３３を設けることにより、複数の電子機器Ｍａ，Ｍｂ
を壁Ｗから見て重層的に配置することができる。と同時に、電子機器Ｍａ，Ｍｂを、壁掛
構造１Ａを壁Ｗに取り付けたままの状態で、各別に左右方向に摺動させて取り付け／取り
外すことができる。
（４）第３ブラケット３０を第１ブラケット１０に対して変位可能に設けた場合、電子機
器Ｍａ，Ｍｂのそれぞれの厚みに応じて重層的に配置することができる。
【００４５】
以上、実施形態について説明したが、本発明は、具体的な実施形態に限定されるもので
はなく、種々の変更を行ったものも含まれるものであり、そのことは、当業者にとって特
許請求の範囲の記載から明らかである。
【符号の説明】
【００４６】
１，１Ａ…壁掛構造
１０…第１ブラケット、１１…第１背面部、１２…第１上面部、１２ａ…開口、１３…正
面部、１４…中間部
２０…第２ブラケット、２１…第２背面部、２２…下面部、２２ａ…開口
３０…第３ブラケット、３２…第３上面部、３２ａ…開口、３３…仕切部
Ｍ，Ｍａ，Ｍｂ…電子機器
Ｌ１，Ｌ２ａ，Ｌ２ｂ…距離
Ｃ…ケーブル
ＣＣ，ＣＣａ，ＣＣｂ…ケーブルカバー
Ｂ…ネジ
Ｄ…ドライバ
Ｗ…壁
【図１】
2019091802.tif 000003
【図２】
2019091802.tif 000004
【図３】
2019091802.tif 000005
【図４】
2019091802.tif 000006
【図５】
2019091802.tif 000007
【図６】
2019091802.tif 000008
【図７】
2019091802.tif 000009
【図８】
2019091802.tif 000010